(57)【要約】【課題】所望の機能画像を選択しやすい表示制御装置及び表示制御方法を提供すること。【解決手段】表示制御装置は、機能を示す機能画像３０が表示される表示部１７と、複数の機能画像を記憶する記憶部と、複数の機能画像が重なるように配列されたホーム画面３９を表示部に表示させる制御部と、ホーム画面において最も手前に位置する機能画像を別の機能画像に切り替える操作を受け付けるための操作部１８と、を備える。【選択図】図３
2020166356.tif 000002
【特許請求の範囲】
【請求項１】
機能を示す機能画像が表示される表示部と、
複数の前記機能画像を記憶する記憶部と、
複数の前記機能画像が重なるように配列されたホーム画面を前記表示部に表示させる制御部と、
前記ホーム画面において最も手前に位置する機能画像を別の機能画像に切り替える操作を受け付けるための操作部と、を備えることを特徴とする表示制御装置。
【請求項２】
前記機能に関するエラーがある場合、前記ホーム画面において、エラーがある前記機能と対応する機能画像は、エラーがない場合とは異なる形式で表示されることを特徴とする請求項１に記載の表示制御装置。
【請求項３】
前記制御部は、前記機能に関するエラーが発生した場合に、前記ホーム画面において、エラーがある前記機能と対応する機能画像が最も手前に位置するように前記表示部に表示させることを特徴とする請求項２に記載の表示制御装置。
【請求項４】
複数の機能をそれぞれ示す複数の機能画像が重なるように配列されたホーム画面を表示部に表示することと、
前記ホーム画面において最も手前に位置する機能画像を切り替える操作を受け付けた場合に、前記ホーム画面において最も手前に位置していた機能画像とは別の機能画像を最も手前に位置させることと、を含むことを特徴とする表示制御方法。
【発明の詳細な説明】
【技術分野】
【０００１】
本発明は、表示制御装置及び表示制御方法に関する。
【背景技術】
【０００２】
特許文献１には、表示制御装置の一例として、所定の機能を示す機能画像を表示する表示部を備える機能実行装置が記載されている。表示部には、複数の機能画像が横方向に配列された状態で表示される。この機能実行装置においては、表示部に表示された複数の機能画像から１つの機能画像が選択されることによって、選択された機能画像と対応する動作をする。
【先行技術文献】
【特許文献】
【０００３】
【特許文献１】特開２０１５−２２８０８７号公報
【発明の概要】
【発明が解決しようとする課題】
【０００４】
特許文献１に記載された機能実行装置においては、表示部において複数の機能画像が横方向に配列されるため、表示部のサイズが小さい場合、所望の機能画像を見つけにくくなるおそれがある。そのため、所望の機能画像を選択しにくくなるおそれがある。
【課題を解決するための手段】
【０００５】
上記課題を解決する表示制御装置は、機能を示す機能画像が表示される表示部と、複数の前記機能画像を記憶する記憶部と、複数の前記機能画像が重なるように配列されたホーム画面を前記表示部に表示させる制御部と、前記ホーム画面において最も手前に位置する機能画像を別の機能画像に切り替える操作を受け付けるための操作部と、を備える。
【０００６】
上記課題を解決する表示制御方法は、複数の機能をそれぞれ示す複数の機能画像が重なるように配列されたホーム画面を表示部に表示することと、前記ホーム画面において最も手前に位置する機能画像を切り替える操作を受け付けた場合に、前記ホーム画面において最も手前に位置していた機能画像とは別の機能画像を最も手前に位置させることと、を含む。
【図面の簡単な説明】
【０００７】
【図１】表示制御装置の一実施形態である複合機を示す斜視図。
【図２】複合機の電気的構成を示すブロック図。
【図３】操作パネルの正面図。
【図４】ホーム画面において第１機能画像が最も手前に位置するときの正面図。
【図５】ホーム画面において第１機能画像が最も手前に位置するときの正面図。
【図６】ホーム画面において第２機能画像が最も手前に位置するときの正面図。
【図７】ホーム画面において第３機能画像が最も手前に位置するときの正面図。
【図８】ホーム画面において第４機能画像が最も手前に位置するときの正面図。
【図９】ホーム画面において第５機能画像が最も手前に位置するときの正面図。
【図１０】コピー様式画面において第１コピー様式画像が最も手前に位置するときの正面図。
【図１１】コピー様式画面において第２コピー様式画像が最も手前に位置するときの正面図。
【図１２】コピー様式画面において第３コピー様式画像が最も手前に位置するときの正面図。
【図１３】コピー様式画面において第４コピー様式画像が最も手前に位置するときの正面図。
【図１４】コピー様式画面において第４コピー様式画像が最も手前に位置するときの正面図。
【図１５】第１設定画像が表示されるときの正面図。
【図１６】コピー実行中画像が表示されるときの正面図。
【図１７】第２設定画像が表示されるときの正面図。
【図１８】第３設定画像が表示されるときの正面図。
【図１９】写真印刷様式画面において第１写真印刷様式画像が最も手前に位置するときの正面図。
【図２０】写真印刷様式画面において第２写真印刷様式画像が最も手前に位置するときの正面図。
【図２１】第１確認画像が表示されるときの正面図。
【図２２】写真選択画面が表示されるときの正面図。
【図２３】第２確認画像が表示されるときの正面図。
【図２４】部数設定画像が表示されるときの正面図。
【図２５】第１エラー報知動作を示す図。
【図２６】第２エラー報知動作を示す図。
【図２７】第３エラー報知動作を示す図。
【図２８】第４エラー報知動作を示す図。
【図２９】第５エラー報知動作を示す図。
【図３０】第６エラー報知動作を示す図。
【図３１】表示部に表示される画像の遷移を示す図。
【図３２】表示制御装置として機能する携帯情報端末の正面図。
【図３３】複合機の電気的構成と携帯情報端末の電気的構成を示すブロック図。
【発明を実施するための形態】
【０００８】
以下、表示制御装置の一実施形態について図を参照しながら説明する。本実施形態の表示制御装置は、例えば、媒体の一例である用紙を読み取ったり、媒体に印刷したりする複合機である。
【０００９】
図１に示すように、表示制御装置の一例である複合機１１は、筐体１２を備える。複合機１１は、カバー１３を備える。カバー１３は、筐体１２の上部に取り付けられる。カバー１３は、筐体１２に対して開閉可能に設けられる。図１において、カバー１３は閉じている。カバー１３が開くと、複合機１１によって読み取られる媒体９９がセットされる読取台が露出する。読取台にセットされた媒体９９は、カバー１３が閉じると、筐体１２とカバー１３とに挟まれる。
【００１０】
複合機１１は、媒体９９を読み取る読取部１４を備える。本実施形態において、読取部１４は、読取台にセットされた媒体９９を読み取る。読取部１４は、例えば、イメージセンサーを含む。
【００１１】
複合機１１は、媒体９９に印刷する印刷部１５を備える。印刷部１５は、例えば、液体の一例であるインクを媒体９９に吐出することによって、文字、写真などの画像を媒体９９に印刷する。印刷部１５は、例えば、筐体１２の背面から供給される媒体９９に印刷する。印刷された媒体９９は、筐体１２の背面とは反対の面である筐体１２の前面に開口する排出口１６から排出される。
【００１２】
複合機１１は、表示部１７と、操作部１８とを備える。表示部１７は、複合機１１に関
する情報を表示する。表示部１７は、例えば液晶のディスプレイである。操作部１８は、複合機１１を操作するために使用される。操作部１８は、例えばボタンである。ユーザーは、操作部１８を介して複合機１１を操作することによって、複合機１１に所望の機能を実行させることができる。
【００１３】
図２において、表示部１７の形状は略正方形であるが、横長でもよい。また、図２において表示部１７は操作部１８に対して左側に配置されているが、右側に配置されてもよい。
【００１４】
本実施形態の複合機１１は、操作パネル１９を備える。操作パネル１９は、筐体１２の前面に位置する。本実施形態の表示部１７及び操作部１８は、操作パネル１９として一体的に設けられる。
【００１５】
図２に示すように、複合機１１は、例えば、制御部２１、記憶部２２、接続部２３及び通信部２４を備える。制御部２１は、複合機１１が備える各種の構成を制御する。制御部２１は、例えばＣＰＵを含む。制御部２１は、記憶部２２に記憶されるプログラムを実行することによって、複合機１１を制御する。
【００１６】
記憶部２２は、プログラム、データなどを記憶する。記憶部２２は、例えばフラッシュメモリー、ハードディスクなどである。制御部２１は、記憶部２２から情報を読み出したり、記憶部２２に情報を書き込んだりする。
【００１７】
接続部２３は、ＣＤ−ＲＯＭ、メモリーカードなどの記憶媒体が接続されるインターフェースである。制御部２１は、接続部２３を介して記憶媒体から情報を読み出したり、接続部２３を介して記憶媒体に情報を書き込んだりする。
【００１８】
通信部２４は、外部と通信するためのインターフェースである。例えば、制御部２１は、通信部２４を介してネットワークにアクセスする。これにより、複合機１１は、外部の装置と通信可能となる。複合機１１は、外部の装置と直接接続されてもよい。
【００１９】
本実施形態の複合機１１は、実行可能な複数の機能を備える。複合機１１は、例えば、コピー機能、印刷機能、スキャン機能などの機能を備える。複合機１１は、他に、読取部１４が読み取った画像データをファックスで送信するファックス機能を備えてもよい。
【００２０】
コピー機能は、読取部１４が読み取る媒体９９をコピーする機能である。コピー機能が実行されると、読取部１４が媒体９９を読み取った後、読取部１４が読み取った媒体９９の画像データに基づいて印刷部１５が別の媒体９９に印刷する。
【００２１】
印刷機能は、印刷部１５が媒体９９に印刷する機能である。印刷機能が実行されると、接続部２３又は通信部２４を介して入力される画像データに基づいて印刷部１５が媒体９９に印刷する。
【００２２】
スキャン機能は、読取部１４が媒体９９を読み取る機能である。スキャン機能が実行されると、読取部１４が読み取った媒体９９の画像データが接続部２３又は通信部２４を介して所定の箇所に保存される。
【００２３】
図３に示すように、本実施形態の操作部１８は、ホームボタン１８１、アンドゥボタン１８２、上ボタン１８３、下ボタン１８４、右ボタン１８５、左ボタン１８６、ＯＫボタン１８７、ストップボタン１８８、スタートボタン１８９を備える。ホームボタン１８１が押されると、表示部１７にホーム画面３９が表示される。ホーム画面３９は、例えば一
定時間以上操作がない場合にも表示される。アンドゥボタン１８２は、処理を取り消すためのボタンである。例えば、表示部１７の表示がホーム画面３９から別の画面に切り替わった後にアンドゥボタン１８２が押されると、表示部１７に表示がホーム画面３９に戻る。
【００２４】
表示部１７は、機能を示す機能画像３０を表示する。機能画像３０は、記憶部２２に記憶される。記憶部２２は、複数の機能画像３０を記憶する。制御部２１は、記憶部２２に記憶される複数の機能画像３０を表示部１７に表示させる。本実施形態において、記憶部２２は、５枚の機能画像３０を記憶する。
【００２５】
制御部２１は、複数の機能画像３０が重なるように配列されたホーム画面３９を表示部１７に表示させる。具体的には、複数の機能画像３０は、表示部１７を正面から見たときに、ホーム画面３９において、手前から奥に向かって並んで見えるように表示される。本実施形態において、複数の機能画像３０は、表示部１７を正面から見たときに、その上端部分が見えるように配列される。
【００２６】
表示部１７において、複数の機能画像３０のうち最も手前に位置する機能画像３０が表示される面積は、その他の複数の機能画像３０が表示される面積よりも大きい。本実施形態のホーム画面３９においては、５枚の機能画像３０が重なるように配列される。ホーム画面３９において、６枚以上の機能画像３０が配列されてもよいし、４枚以下の機能画像３０が配列されてもよい。
【００２７】
本実施形態において、図３に示すホーム画面３９に表示される複数の機能画像３０を、手前から奥に向かって順に、第１機能画像３１、第２機能画像３２、第３機能画像３３、第４機能画像３４、第５機能画像３５と称する。すなわち、第１機能画像３１は、「コピー」と表示された機能画像３０である。
【００２８】
制御部２１は、操作部１８を介して、ホーム画面３９において最も手前に位置する機能画像３０を別の機能画像３０に切り替える操作を受け付ける。本実施形態において、上ボタン１８３又は下ボタン１８４が押されると、ホーム画面３９において最も手前に位置する機能画像３０が別の機能画像３０に切り替わる。
【００２９】
例えば、図３に示す状態において上ボタン１８３が押されると、ホーム画面３９において、第１機能画像３１が最も奥に移動し、第２機能画像３２が最も手前に位置する。このときのホーム画面３９においては、手前から奥に向かって、第２機能画像３２、第３機能画像３３、第４機能画像３４、第５機能画像３５、第１機能画像３１の順に複数の機能画像３０が並ぶ。
【００３０】
例えば、図３に示す状態において下ボタン１８４が押されると、ホーム画面３９において、第５機能画像３５が最も手前に移動し、第４機能画像３４が最も奥に位置する。このときのホーム画面３９においては、手前から奥に向かって、第５機能画像３５、第１機能画像３１、第２機能画像３２、第３機能画像３３、第４機能画像３４の順に複数の機能画像３０が並ぶ。
【００３１】
ホーム画面３９において上ボタン１８３が押されたときの動作と、ホーム画面３９において下ボタン１８４が押されたときの動作とは、逆でもよい。ホーム画面３９において右ボタン１８５又は左ボタン１８６が押されることによって、ホーム画面３９において最も手前に位置する機能画像３０が別の機能画像３０に切り替わってもよい。
【００３２】
ホーム画面３９においてＯＫボタン１８７が押されると、ホーム画面３９において最も
手前に位置している機能画像３０が選択される。このように、ユーザーは、操作部１８を操作することによって所望の機能画像３０を選択する。
【００３３】
ホーム画面３９において複数の機能画像３０が重なるように配列することにより、最も手前に位置する機能画像３０を大きく表示できる。ホーム画面３９において選択可能となる機能画像３０は、配列された複数の機能画像３０のうち最も手前に位置する機能画像３０である。ホーム画面３９において選択可能となる機能画像３０が大きく表示されることによって、表示部１７のサイズが小さい場合でも、所望の機能画像３０を選択しやすい。
【００３４】
複数の機能画像３０においては、表示される色がそれぞれ異なっていてもよい。こうすると、色で機能画像３０を見分けることができるため、使い勝手が向上する。例えば、第１機能画像３１は青色、第２機能画像３２は橙色、第３機能画像３３は赤色、第４機能画像３４は緑色、第５機能画像３５は黄緑色としてもよい。また、第１機能画像３１、第２機能画像３２、第３機能画像３３、第４機能画像３４、第５機能画像３５の表示される色は、第１機能画像３１、第２機能画像３２、第３機能画像３３、第４機能画像３４、第５機能画像３５の順序で、明度が高い配色としてもよく、明度が低い配色としてもよい。
【００３５】
上述したように、機能画像３０を表示する表示部１７の表示制御方法は、複数の機能をそれぞれ示す複数の機能画像３０が重なるように配列されたホーム画面３９を表示部１７に表示することと、ホーム画面３９において最も手前に位置する機能画像３０を切り替える操作を受け付けた場合に、ホーム画面３９において最も手前に位置していた機能画像３０とは別の機能画像３０を最も手前に位置させることと、を含む。ホーム画面３９において選択可能となる機能画像３０が大きく表示されることによって、表示部１７のサイズが小さい場合でも、所望の機能画像３０を選択しやすい。
【００３６】
本実施形態のホーム画面３９において、記憶部２２が記憶するすべての機能画像３０が重なるように配列される。ホーム画面３９において、記憶部２２が記憶する複数の機能画像３０のうちの一部の機能画像３０が重なるように配列されてもよい。例えば、ホーム画面３９において５枚の機能画像３０が配列されるのに対して、記憶部２２が１３枚の機能画像３０を記憶する場合を考える。この場合、記憶部２２は、第１機能画像３１から第１３機能画像までの計１３枚の機能画像３０を記憶する。
【００３７】
記憶部２２が１３枚の機能画像３０を記憶する場合、図３に示す状態において上ボタン１８３が押されると、ホーム画面３９において、第１機能画像３１が移動することによって、第６機能画像が最も奥に位置し、第２機能画像３２が最も手前に位置する。このときのホーム画面３９においては、手前から奥に向かって、第２機能画像３２、第３機能画像３３、第４機能画像３４、第５機能画像３５、第６機能画像の順に複数の機能画像３０が並ぶ。逆に、図３に示す状態において下ボタン１８４が押されると、ホーム画面３９において、第１３機能画像が最も手前に移動し、第４機能画像３４が最も奥に位置する。このときのホーム画面３９においては、手前から奥に向かって、第１３機能画像、第１機能画像３１、第２機能画像３２、第３機能画像３３、第４機能画像３４の順に複数の機能画像３０が並ぶ。
【００３８】
図４及び図５に示すように、第１機能画像３１には、「コピー」と表示されている。第１機能画像３１は、「コピー」についての機能を示している。第１機能画像３１が選択されると、コピー機能が実行可能となる。
【００３９】
図６に示すように、第２機能画像３２には、「写真の印刷」と表示されている。第２機能画像３２は、「写真の印刷」についての機能を示している。第２機能画像３２が選択されると、印刷機能が実行可能となる。第２機能画像３２が選択されることによって印刷機
能が実行される場合、印刷部１５は、写真を印刷する。
【００４０】
図７に示すように、第３機能画像３３には、「フォーム印刷」と表示されている。第３機能画像３３は、「フォーム印刷」についての機能を示している。第３機能画像３３が選択されると、印刷機能が実行可能となる。第３機能画像３３が選択されることによって印刷機能が実行される場合、印刷部１５は、例えば罫線、ナンバリングなどのフォームを印刷する。
【００４１】
図８に示すように、第４機能画像３４には、「インク残量」と表示されている。第４機能画像３４は、「インク残量」についての機能を示している。第４機能画像３４は、インクの残量を表示する。すなわち、第４機能画像３４は、インクの残量を報知する機能を有する。本実施形態において、第４機能画像３４は、ＢＫと表記されたブラックインク、ＬＣと表記されたライトシアンインク、Ｍと表記されたマゼンタインク、Ｃと表記されたシアンインク、Ｙと表記されたイエローインク、ＬＭと表記されたライトマゼンタインク、の残量を報知する。インクの残量は、センサーを用いることによって検出されてもよいし、印刷部１５が吐出した回数に基づいて制御部２１が算出することによって検出されてもよい。
【００４２】
図９に示すように、第５機能画像３５には、「メモリーカードにスキャン」と表示されている。第５機能画像３５は、「メモリーカードにスキャン」についての機能を示している。第５機能画像３５が選択されると、スキャン機能が実行可能となる。第５機能画像３５が選択されることによってスキャン機能が実行される場合、読取部１４が読み取った媒体９９の画像データは、接続部２３に接続されるメモリーカードに保存される。
【００４３】
第１機能画像３１、第２機能画像３２、第３機能画像３３、第４機能画像３４、第５機能画像３５、第６機能画像、第７機能画像、第８機能画像、第９機能画像、第１０機能画像、第１１機能画像、第１２機能画像に表示される文字情報は、各機能画像３０に限定されない。例えば、第１機能画像３１に「写真の印刷」が表示されてもよく、第２機能画像３２に「フォーム印刷」が表示されてもよい。
【００４４】
図１０に示すように、ホーム画面３９において第１機能画像３１が選択されると、制御部２１は、コピーの様式を示すコピー様式画像４０を表示部１７に表示させる。コピー様式画像４０は、記憶部２２に記憶される。記憶部２２は、複数のコピー様式画像４０を記憶する。本実施形態において、記憶部２２は、５枚のコピー様式画像４０を記憶する。
【００４５】
制御部２１は、ホーム画面３９において第１機能画像３１が選択されることによって、複数のコピー様式画像４０が重なるように配列されたコピー様式画面４９を表示部１７に表示させる。具体的には、複数のコピー様式画像４０は、コピー様式画面４９において、表示部１７を正面から見たときに、手前から奥に向かって並んで見えるように表示される。本実施形態において、複数のコピー様式画像４０は、表示部１７を正面から見たときに、その上端部分が見えるように配列される。
【００４６】
制御部２１は、ホーム画面３９において第１機能画像３１が選択されると、ホーム画面３９からコピー様式画面４９に表示部１７の表示を切り替える。コピー様式画面４９が表示された状態でアンドゥボタン１８２が押されると、表示部１７の表示がコピー様式画面４９からホーム画面３９に切り替わる。
【００４７】
表示部１７において、複数のコピー様式画像４０のうち最も手前に位置するコピー様式画像４０が表示される面積は、その他の複数のコピー様式画像４０が表示される面積よりも大きい。本実施形態のコピー様式画面４９においては、５枚のコピー様式画像４０が重
なるように配列される。コピー様式画面４９において、６枚以上のコピー様式画像４０が配列されてもよいし、４枚以下のコピー様式画像４０が配列されてもよい。
【００４８】
本実施形態において、図１０に示すコピー様式画面４９に表示されるコピー様式画像４０を、手前から奥に向かって順に、第１コピー様式画像４１、第２コピー様式画像４２、第３コピー様式画像４３、第４コピー様式画像４４、第５コピー様式画像４５と称する。すなわち、第１コピー様式画像４１は、「標準コピーカラー」と表示されたコピー様式画像４０である。
【００４９】
制御部２１は、操作部１８を介して、コピー様式画面４９において最も手前に位置するコピー様式画像４０を別のコピー様式画像４０に切り替える操作を受け付ける。本実施形態において、上ボタン１８３又は下ボタン１８４が押されると、コピー様式画面４９において最も手前に位置するコピー様式画像４０が切り替わる。操作部１８を操作することに伴うコピー様式画面４９におけるコピー様式画像４０の動きは、ホーム画面３９における機能画像３０の動きと同様である。
【００５０】
本実施形態のコピー様式画面４９において、記憶部２２が記憶するすべてのコピー様式画像４０が重なるように配列される。コピー様式画面４９において、記憶部２２が記憶する複数のコピー様式画像４０のうちの一部のコピー様式画像４０が重なるように配列されてもよい。この場合、操作部１８を操作することに伴うコピー様式画面４９におけるコピー様式画像４０の動きは、ホーム画面３９における機能画像３０の動きと同様である。
【００５１】
第１コピー様式画像４１には、「標準コピーカラー」と表示されている。すなわち、第１コピー様式画像４１は、「標準コピーカラー」というコピーの様式を示している。標準コピーとは、読み取った１枚の媒体９９の画像データを１枚の媒体９９に印刷する様式である。第１コピー様式画像４１が選択されると、標準コピーをカラーで実行可能となる。
【００５２】
第１コピー様式画像４１には、スタートマーク９１が表示されている。本実施形態においては、スタートマーク９１が表示されたコピー様式画像４０がコピー様式画面４９において最も手前に位置する状態でスタートボタン１８９が押されると、そのコピー様式画像４０が示すコピーの様式でコピーが実行される。例えば、第１コピー様式画像４１が表示される状態でスタートボタン１８９が押されると、制御部２１は、標準コピーをカラーで実行する。第１コピー様式画像４１が表示される状態でＯＫボタン１８７が押されると、表示部１７の表示がコピー様式画面４９から次の画面に切り替わる。本実施形態においては、第１コピー様式画像４１において、スタートマーク９１を含む三角形の領域はグレーで表示され、その他の領域はブルーで表示される。
【００５３】
スタートマーク９１を含む三角形の領域は、第１コピー様式画像４１に対して右上側に配置されているが、右下側や左上側、左下側に配置してもよい。
図１１に示すように、第２コピー様式画像４２には、「応用コピー」と表示されている。すなわち、第２コピー様式画像４２は、「応用コピー」というコピーの様式を示している。応用コピーとは、コピーについて細かに設定できる様式である。第２コピー様式画像４２が選択されると、コピーの様式を設定可能となる。「応用コピー」においては、例えば、コピーする画像のサイズ、コピーする画像の画質などを設定できる。
【００５４】
第２コピー様式画像４２には、スタートマーク９１が表示されている。第２コピー様式画像４２が表示される状態でスタートボタン１８９が押されると、制御部２１は、応用コピーを実行する。この場合、制御部２１は、前回実行した応用コピーの設定を反映したうえで今回の応用コピーを実行する。第２コピー様式画像４２が表示される状態でＯＫボタン１８７が押されると、表示部１７の表示がコピー様式画面４９から次の画面に切り替わ
る。
【００５５】
図１２に示すように、第３コピー様式画像４３には、「２ｉｎ１コピーカラー」と表示されている。すなわち、第３コピー様式画像４３は、「２ｉｎ１コピーカラー」というコピーの様式を示している。２ｉｎ１コピーとは、読み取った２枚の媒体９９の画像データを１枚の媒体９９に印刷する様式である。第３コピー様式画像４３が選択されると、２ｉｎ１コピーをカラーで実行可能となる。
【００５６】
第３コピー様式画像４３には、スタートマーク９１が表示されている。第３コピー様式画像４３が表示される状態でスタートボタン１８９が押されると、制御部２１は、２ｉｎ１コピーをカラーで実行する。第３コピー様式画像４３が表示される状態でＯＫボタン１８７が押されると、表示部１７の表示がコピー様式画面４９から次の画面に切り替わる。
【００５７】
図１３及び図１４に示すように、第４コピー様式画像４４には、「ミラーコピーモノクロ」と表示されている。すなわち、第４コピー様式画像４４は、「ミラーコピーモノクロ」というコピーの様式を示している。ミラーコピーとは、読み取った媒体９９の画像データを反転させ、反転したその画像データを媒体９９に印刷する様式である。第４コピー様式画像４４が選択されると、ミラーコピーをモノクロで実行可能となる。
【００５８】
第４コピー様式画像４４には、スタートマーク９１が表示されている。第４コピー様式画像４４が表示される状態でスタートボタン１８９が押されると、制御部２１は、ミラーコピーをモノクロで実行する。第４コピー様式画像４４が表示される状態でＯＫボタン１８７が押されると、表示部１７の表示がコピー様式画面４９から別の画面に切り替わる。
【００５９】
図１５に示すように、コピー様式画面４９において第１コピー様式画像４１が選択されると、制御部２１は、コピーの部数を設定するための第１設定画像５１を表示部１７に表示させる。第１設定画像５１が表示される状態において上ボタン１８３又は下ボタン１８４が押されると、コピーの部数が変化する。第１設定画像５１が表示される状態でスタートボタン１８９が押されると、第１設定画像５１に表示された部数で、標準コピーカラーが実行される。本実施形態においては、第１設定画像５１において、スタートマーク９１を含む三角形の領域はグレーで表示され、部数を示す四角形の領域はベージュで表示され、その他の領域はブルーで表示されている。なお、第１コピー様式画像４１が表示された状態でスタートボタン１８９が押された場合、コピーの部数は、前回実行した標準コピーの部数となってもよいし、１となってもよい。
【００６０】
図１６に示すように、コピー機能が実行されている間、制御部２１は、コピー実行中画像５４を表示部１７に表示させる。例えば、第１設定画像５１においてスタートボタン１８９が押されると、コピー実行中画像５４が表示される。第１コピー様式画像４１においてスタートボタン１８９が押された場合にも、コピー実行中画像５４が表示される。コピー実行中画像５４が表示される状態においてストップボタン１８８が押されると、コピーが中止される。コピーが完了すると、ホーム画面３９が表示される。
【００６１】
図１７に示すように、コピー様式画面４９において第２コピー様式画像４２が選択されると、制御部２１は、コピーについて設定するための第２設定画像５２を表示部１７に表示させる。第２設定画像５２が表示される状態において上ボタン１８３又は下ボタン１８４が押されると、コピーの部数が変化する。第２設定画像５２が表示される状態において、右ボタン１８５又は左ボタン１８６が押されると、カラーコピーとモノクロコピーとで設定が切り替わる。第２設定画像５２が表示される状態でスタートボタン１８９が押されると、第２設定画像５２に表示された部数及び設定で、コピーが実行される。第２設定画像５２が表示される状態でＯＫボタン１８７が押されると、コピーについてさらに詳細に
設定可能なコピーメニュー画像が表示される。
【００６２】
図１８に示すように、コピー様式画面４９において、第３コピー様式画像４３が選択されると、制御部２１は、コピーの部数を設定するための第３設定画像５３を表示部１７に表示させる。第３設定画像５３が表示される状態において上ボタン１８３又は下ボタン１８４が押されると、コピーの部数が変化する。第３設定画像５３が表示される状態でスタートボタン１８９が押されると、第３設定画像５３に表示された部数で、２ｉｎ１コピーカラーが実行される。なお、第３コピー様式画像４３が表示された状態でスタートボタン１８９が押された場合、コピーの部数は、前回実行した２ｉｎ１コピーの部数となってもよいし、１となってもよい。
【００６３】
図１９に示すように、ホーム画面３９において第２機能画像３２が選択されると、制御部２１は、写真印刷の様式を示す写真印刷様式画像６０を表示部１７に表示させる。写真印刷様式画像６０は、記憶部２２に記憶される。記憶部２２は、複数の写真印刷様式画像６０を記憶する。本実施形態において、記憶部２２は、４枚の写真印刷様式画像６０を記憶する。
【００６４】
制御部２１は、ホーム画面３９において第２機能画像３２が選択されることによって、複数の写真印刷様式画像６０が重なるように配列された写真印刷様式画面６９を表示部１７に表示させる。具体的には、複数の写真印刷様式画像６０は、写真印刷様式画面６９において、表示部１７を正面から見たときに、手前から奥に向かって並んで見えるように表示される。本実施形態において、複数の写真印刷様式画像６０は、表示部１７を正面から見たときに、その上端部分が見えるように配列される。
【００６５】
制御部２１は、ホーム画面３９において第２機能画像３２が選択されると、ホーム画面３９から写真印刷様式画面６９に表示部１７の表示を切り替える。写真印刷様式画面６９が表示された状態でアンドゥボタン１８２が押されると、表示部１７の表示が写真印刷様式画面６９からホーム画面３９に切り替わる。
【００６６】
表示部１７において、複数の写真印刷様式画像６０のうち最も手前に位置する写真印刷様式画像６０が表示される面積は、その他の複数の写真印刷様式画像６０が表示される面積よりも大きい。本実施形態の写真印刷様式画面６９においては、４枚の写真印刷様式画像６０が重なるように配列される。写真印刷様式画面６９において、５枚以上の写真印刷様式画像６０が配列されてもよいし、３枚以下の写真印刷様式画像６０が配列されてもよい。
【００６７】
本実施形態において、図１９に示す写真印刷様式画面６９に表示される写真印刷様式画像６０を、手前から奥に向かって順に、第１写真印刷様式画像６１、第２写真印刷様式画像６２、第３写真印刷様式画像６３、第４写真印刷様式画像６４、と称する。すなわち、第１写真印刷様式画像６１は、「写真を選んで日付あり印刷」と表示された写真印刷様式画像６０である。
【００６８】
制御部２１は、操作部１８を介して、写真印刷様式画面６９において最も手前に位置する写真印刷様式画像６０を別の写真印刷様式画像６０に切り替える操作を受け付ける。本実施形態において、上ボタン１８３又は下ボタン１８４が押されると、写真印刷様式画面６９において最も手前に位置する写真印刷様式画像６０が切り替わる。操作部１８の操作に伴う写真印刷様式画面６９における写真印刷様式画像６０の動きは、ホーム画面３９における機能画像３０の動きと同様である。
【００６９】
本実施形態の写真印刷様式画面６９において、記憶部２２が記憶するすべての写真印刷
様式画像６０が重なるように配列される。写真印刷様式画面６９において、記憶部２２が記憶する複数の写真印刷様式画像６０のうちの一部の写真印刷様式画像６０が重なるように配列されてもよい。この場合、操作部１８を操作することに伴う写真印刷様式画面６９における写真印刷様式画像６０の動きは、ホーム画面３９における機能画像３０の動きと同様である。
【００７０】
第１写真印刷様式画像６１には、「写真を選んで日付あり印刷」と表示されている。すなわち、第１写真印刷様式画像６１は、「写真を選んで日付あり印刷」という写真印刷の様式を示している。第１写真印刷様式画像６１が選択されると、「写真を選んで日付あり印刷」を実行可能となる。第１写真印刷様式画像６１が表示される状態でＯＫボタン１８７が押されると、表示部１７の表示が写真印刷様式画面６９から次の画面に切り替わる。
【００７１】
図２０に示すように、第２写真印刷様式画像６２には、「全ての写真を日付なし印刷」と表示されている。すなわち、第２写真印刷様式画像６２には、「全ての写真を日付なし印刷」という写真印刷の様式を示している。第２写真印刷様式画像６２が選択されると、「全ての写真を日付なし印刷」を実行可能となる。
【００７２】
第２写真印刷様式画像６２には、スタートマーク９１が表示されている。図２０に示す状態でスタートボタン１８９が押されると、制御部２１は、全ての写真を日付なしで印刷する。すなわち、例えば接続部２３に接続された記憶媒体に保存される写真データを、日付なしで印刷する。第２写真印刷様式画像６２が表示される状態でＯＫボタン１８７が押されると、表示部１７の表示が写真印刷様式画面６９から次の画面に切り替わる。
【００７３】
図２１に示すように、写真印刷様式画面６９において第１写真印刷様式画像６１が選択されると、制御部２１は、第１確認画像５６を表示部１７に表示させる。第１確認画像５６が表示される状態でＯＫボタン１８７が押されると、表示部１７の表示が第１確認画像５６から切り替わる。
【００７４】
図２２に示すように、第１確認画像５６が表示された状態でＯＫボタン１８７が押されると、制御部２１は、写真選択画面５７を表示部１７に表示させる。写真選択画面５７には、例えば接続部２３に接続された記憶媒体から読み出された写真が表示される。写真選択画面５７が表示された状態で上ボタン１８３又は下ボタン１８４が押されると、写真選択画面５７に表示されている写真が切り替わる。写真選択画面５７が表示される状態でＯＫボタン１８７が押されると、写真選択画面５７に表示されている写真にチェックマーク９２が付与される。写真選択画面５７が表示される状態でスタートボタン１８９が押されると、チェックマーク９２が付与された写真の日付あり印刷が実行される。
【００７５】
図２３に示すように、写真印刷様式画面６９において第２写真印刷様式画像６２が選択されると、制御部２１は、第２確認画像５８を表示部１７に表示させる。第２写真印刷様式画像６２には、スタートマーク９１が表示されている。第２確認画像５８が表示される状態でＯＫボタン１８７が押されると、表示部１７の表示が第２確認画像５８から切り替わる。
【００７６】
図２４に示すように、第２確認画像５８においてＯＫボタン１８７が押されると、制御部２１は、写真印刷の部数を設定するための部数設定画像５９を表示部１７に表示させる。部数設定画像５９には、スタートマーク９１が表示されている。部数設定画像５９が表示される状態において上ボタン１８３又は下ボタン１８４が押されると、写真印刷の部数が変化する。部数設定画像５９が表示される状態でスタートボタン１８９が押されると、部数設定画像５９に表示された部数で、全ての写真について日付なし印刷が実行される。このとき、例えば、接続部２３に接続されたメモリーカードに記憶される全ての写真が印
刷される。
【００７７】
機能に関するエラーがある場合、ホーム画面３９において、エラーがある機能と対応する機能画像３０は、エラーがない場合とは異なる形式で表示されてもよい。こうすると、エラーがある機能と対応する機能画像３０をユーザーに注目させることができる。これにより、機能についてエラーが発生していることをユーザーに報知できる。例えば、印刷機能を実行するにあたってエラーがある場合、印刷機能と対応する第１機能画像３１、第２機能画像３２、第３機能画像３３が、エラーがない場合とは異なる形式で表示される。この場合、ユーザーは、ホーム画面３９を見ることによって、印刷機能にエラーが発生していることを把握できる。
【００７８】
エラーとは、インクの残量が僅少となる場合、印刷対象となる媒体９９がない場合なども含む。他にも、印刷部１５が吐出するインクを廃液として回収する廃液タンクの収容量が限界となる場合、印刷ジョブに含まれる媒体９９のサイズとセットされる媒体９９のサイズとが一致しない場合、ネットワークとの接続が切れた場合、などが含まれる。
【００７９】
図２５に示すように、制御部２１は、機能に関するエラーが発生した場合に、ホーム画面３９において、エラーがある機能と対応する機能画像３０が上下に移動するように表示部１７に表示させてもよい。すなわち、制御部２１は、機能に関するエラーが発生した場合に、ホーム画面３９においてエラーを報知する第１エラー報知動作を実行してもよい。例えば、インクの残量が僅少である場合、インクの残量を報知する機能を有する第４機能画像３４が、ホーム画面３９において上下に移動するように表示される。この場合、ホーム画面３９の表示が、図２５に示す（ａ）、（ｂ）、（ｃ）、（ｄ）、（ｅ）の順に遷移する。表示部１７は、図２５に示す（ａ）から（ｅ）までの表示を繰り返す。
【００８０】
図２６に示すように、制御部２１は、機能に関するエラーが発生した場合に、ホーム画面３９において、エラーがある機能と対応する機能画像３０がその他の複数の機能画像３０から抜き出されるように表示部１７に表示させてもよい。すなわち、制御部２１は、機能に関するエラーが発生した場合に、ホーム画面３９においてエラーを報知する第２エラー報知動作を実行してもよい。例えば、インクの残量が僅少である場合、インクの残量を報知する機能を有する第４機能画像３４が、ホーム画面３９において複数の機能画像３０から抜き出されるように表示される。この場合、ホーム画面３９の表示が、図２６に示す（ａ）、（ｂ）、（ｃ）、（ｄ）、（ｅ）、（ｆ）の順に遷移する。
【００８１】
インクの残量が僅少である場合、第４機能画像３４には、エラーマーク９３が表示される。例えば、ブラックインクの残量が僅少である場合には、ブラックインクの残量を表示する箇所にエラーマーク９３が表示される。ホーム画面３９の表示が図２６に示す（ｆ）の状態である場合において上ボタン１８３、下ボタン１８４、右ボタン１８５、左ボタン１８６の何れかが押されると、ホーム画面３９の表示が、図２６に示す（ｆ）、（ｅ）、（ｄ）、（ｃ）、（ｂ）、（ａ）の順に遷移する。図２６に示す（ａ）の状態になると、上ボタン１８３又は下ボタン１８４を押すことによって、最も手前に表示される機能画像３０を別の機能画像３０に切り替え可能となる。
【００８２】
図２７に示すように、制御部２１は、機能に関するエラーが発生した場合に、ホーム画面３９において、エラーがある機能と対応する機能画像３０にエラーマーク９３が付与されるように表示部１７に表示させてもよい。すなわち、制御部２１は、機能に関するエラーが発生した場合に、ホーム画面３９においてエラーを報知する第３エラー報知動作を実行してもよい。このエラーマーク９３は、エラーがある機能と対応する機能画像３０がホーム画面３９において最も手前に位置していない場合にも表示される。そのため、ユーザーは、複数の機能画像３０のうち何れの機能画像３０にエラーマーク９３が付与されてい
るかが把握できる。
【００８３】
例えば、インクの残量が僅少である場合、インクの残量を報知する機能を有する第４機能画像３４が、ホーム画面３９においてエラーマーク９３が付与される。図２７に示す（ａ）の状態のように、ホーム画面３９において第４機能画像３４が最も手前に位置していない場合、エラーマーク９３は、第４機能画像３４の上端部分に表示される。
【００８４】
図２７に示す（ａ）の状態において上ボタン１８３が押されると、ホーム画面３９の表示が、図２７に示す（ａ）の状態から（ｂ）の状態に遷移する。このとき、複数の機能画像３０における第４機能画像３４の位置が変わることに伴い、エラーマーク９３の位置も変わる。すなわち、エラーマーク９３は、エラーのある機能と対応する機能画像３０を追従するように表示される。
【００８５】
図２７に示す（ｂ）の状態において上ボタン１８３が押されると、ホーム画面３９の表示が、図２７に示す（ｂ）の状態から（ｃ）の状態に遷移する。図２７に示す（ｃ）の状態において上ボタン１８３が押されると、ホーム画面３９の表示が、図２７に示す（ｃ）の状態から（ｄ）の状態に遷移する。図２７に示す（ｄ）の状態のように、ホーム画面３９において第４機能画像３４が最も手前に位置すると、エラーマーク９３は、残量が僅少となるインクの残量を表示する箇所に表示される。例えば、ブラックインクの残量が僅少である場合には、ブラックインクの残量を表示する箇所にエラーマーク９３が表示される。
【００８６】
図２８に示すように、制御部２１は、機能にエラーが発生した場合、ホーム画面３９においてエラーがある機能と対応する機能画像３０が点滅するように表示部１７に表示させてもよい。すなわち、制御部２１は、機能に関するエラーが発生した場合に、ホーム画面３９においてエラーを報知する第４エラー報知動作を実行してもよい。第４エラー報知動作においては、機能画像３０の色を切り替えることによって点滅を表現する。例えば、インクの残量が僅少である場合、インクの残量を報知する機能を有する第４機能画像３４が、ホーム画面３９において点滅するように表示される。この場合、ホーム画面３９の表示が、図２８に示す（ａ）の状態と、図２８に示す（ｂ）の状態とに、交互に遷移する。
【００８７】
図２９に示すように、制御部２１は、機能にエラーが発生した場合、ホーム画面３９においてエラーがある機能と対応する機能画像３０が点滅するように表示部１７に表示させてもよい。すなわち、制御部２１は、機能に関するエラーが発生した場合に、ホーム画面３９においてエラーを報知する第５エラー報知動作を実行してもよい。第５エラー報知動作においては、機能画像３０が発光するように見せることによって点滅を表現する。例えば、インクの残量が僅少である場合、インクの残量を報知する機能を有する第４機能画像３４がホーム画面３９において点滅するように表示される。この場合、ホーム画面３９の表示が、図２９に示す（ａ）の状態と、図２９に示す（ｂ）の状態とに、交互に遷移する。
【００８８】
図３０に示すように、制御部２１は、機能に関するエラーが発生した場合に、ホーム画面３９において、エラーがある機能と対応する機能画像３０が最も手前に位置するように表示部１７に表示させてもよい。すなわち、制御部２１は、機能に関するエラーが発生した場合に、ホーム画面３９においてエラーを報知する第６エラー報知動作を実行してもよい。例えば、インクの残量が僅少である場合、インクの残量を報知する機能を有する第４機能画像３４が、ホーム画面３９において最も手前に位置するように表示される。この場合、ホーム画面３９の表示が、図３０に示す（ａ）、（ｂ）、（ｃ）、（ｄ）の順に遷移する。このとき、上ボタン１８３及び下ボタン１８４が押されることなく、ホーム画面３９において機能画像３０が移動する。第１エラー報知動作、第２エラー報知動作、第３エ
ラー報知動作、第４エラー報知動作、第５エラー報知動作、第６エラー報知動作により、エラーのある機能と対応する機能画像３０をユーザーに注目させることができる。
【００８９】
図３１に示すように、上述した複合機１１においては、ユーザーが操作部１８を通じて操作することにより、表示部１７に表示される画像が遷移する。例えば、図３１に示す（ａ）の状態、すなわち表示部１７に第１機能画像３１が表示される状態で、ＯＫ１８７ボタンが押されると、図３１に示す（ｂ）の状態に遷移する。図３１に示す（ｂ）の状態、すなわち表示部１７に第１コピー様式画像４１が表示される状態で、ＯＫボタン１８７が押されると、図３１に示す（ｃ）の状態に遷移する。図３１に示す（ｃ）の状態、すなわち表示部１７に第１設定画像５１が表示される状態で、スタートボタン１８９が押されると、図３１に示す（ｄ）の状態、すなわち表示部１７にコピー実行中画像５４が表示される状態に遷移する。
【００９０】
次に、上記実施形態の作用及び効果について説明する。
（１）表示制御装置として機能する複合機１１は、複数の機能画像３０が重なるように配列されたホーム画面３９を表示部１７に表示させる制御部２１と、ホーム画面３９において最も手前に位置する機能画像３０を別の機能画像３０に切り替える操作を受け付けるための操作部１８と、を備える。これにより、重なるように配列された複数の機能画像３０のうち最も手前に位置する機能画像３０を表示部１７に大きく表示できる。したがって、所望の機能画像３０を選択しやすい。
【００９１】
（２）機能に関するエラーがある場合、ホーム画面３９において、エラーがある機能と対応する機能画像３０は、エラーがない場合とは異なる表示で表示される。これにより、エラーがある機能と対応する機能画像３０をユーザーに注目させることができる。すなわち、ユーザーにエラーを報知できる。
【００９２】
（３）制御部２１は、機能に関するエラーが発生した場合に、ホーム画面３９において、エラーがある機能と対応する機能画像３０が最も手前に位置するように表示部１７に表示させる。これにより、エラーがある機能と対応する機能画像３０をユーザーに一層注目させることができる。
【００９３】
本実施形態は、以下のように変更して実施することができる。本実施形態及び以下の変更例は、技術的に矛盾しない範囲で互いに組み合わせて実施することができる。
・図３２に示すように、例えばスマートフォンのような携帯情報端末８１が表示制御装置として機能してもよい。携帯情報端末８１は、機能を示す機能画像３０が表示される表示部８２を備える。携帯情報端末８１は、ホーム画面３９において最も手前に位置する機能画像３０を別の機能画像３０に切り替える操作を受け付けるための操作部８３を備える。
【００９４】
表示部８２は、例えば液晶画面である。操作部８３は、例えばタッチパネルである。表示部８２上でタップ、フリックなどをすることによって、表示部８２の表示が切り替わる。例えば、ホーム画面３９においてフリックすることにより、最も手前に位置する機能画像３０が別の機能画像３０に切り替わる。ホーム画面３９においてタップすることによって、最も手前に位置する機能画像３０が選択される。
【００９５】
表示部８２に、ホームボタン１８１、アンドゥボタン１８２、上ボタン１８３、下ボタン１８４、右ボタン１８５、左ボタン１８６、ＯＫボタン１８７、ストップボタン１８８及びスタートボタン１８９を示すキーが表示されてもよい。この場合、例えば表示部８２において上ボタン１８３を示すキー又は下ボタン１８４を示すキーに触れることによって、ホーム画面３９において最も手前に位置する機能画像３０が別の機能画像３０に切り替
わる。
【００９６】
図３３に示すように、携帯情報端末８１は、制御部８４と、記憶部８５とを備える。記憶部８５は、複数の機能画像３０を記憶する。記憶部８５は、例えばフラッシュメモリーである。制御部８４は、複数の機能画像３０が重なるように配列されたホーム画面３９を表示部８２に表示させる。制御部８４は、例えばＣＰＵである。制御部８４は、携帯情報端末８１が備える各種の構成を制御する。制御部８４は、記憶部８５が記憶するプログラムを実行することによって、携帯情報端末８１を制御する。
【００９７】
携帯情報端末８１は、複合機１１と通信可能とされる。携帯情報端末８１が記憶する機能画像３０は、複合機１１が備える機能を示す。携帯情報端末８１は、選択された機能画像３０と対応する機能を複合機１１に実行させることができる。例えば、携帯情報端末８１においてホーム画面３９に第１コピー様式画像４１が表示された状態でスタートボタン１８９を示すキーが押されると、携帯情報端末８１が複合機１１に信号を送信することによって複合機１１が標準コピーを実行する。携帯情報端末８１は、スマートフォンに限らず、タブレット、スマートウォッチなどでもよい。
【００９８】
・複数の機能画像３０は、表示部１７を正面から見たときに、その下端部分が見えるように配列されてもよい。ホーム画面３９における機能画像３０の重なり方は自由である。
・複数のコピー様式画像４０は、表示部１７を正面から見たときに、その下端部分が見えるように配列されてもよい。コピー様式画面４９におけるコピー様式画像４０の重なり方は自由である。
【００９９】
・複数の写真印刷様式画像６０は、表示部１７を正面から見たときに、その下端部分が見えるように配列されてもよい。写真印刷様式画面６９における写真印刷様式画像６０の重なり方は自由である。
【０１００】
・複数の機能画像３０に表示される文字情報やコピー様式画像４０に表示される文字情報の位置は問わない。例えば、図４に示す第1機能画像３１に表示される「コピー」の文字情報の配置は、第1機能画像３１に対して下部側だけでなく、上部側、左側、右側としてもよい。
【０１０１】
・印刷部１５は、インクを吐出するインクジェット方式に限らず、トナーを吐出するトナージェット方式でもよい、媒体９９に熱を加えることによって印刷するサーマルプリント方式でもよい。
【０１０２】
・印刷部１５が吐出する液体はインクに限らず、例えば機能材料の粒子が液体に分散又は混合されてなる液状体などでもよい。例えば、印刷部１５が液晶ディスプレイ、エレクトロルミネッセンスディスプレイ及び面発光ディスプレイの製造などに用いられる電極材または画素材料などの材料を分散または溶解のかたちで含む液状体を吐出してもよい。
【０１０３】
以下に、上述した実施形態及び変更例から把握される技術的思想及びその作用効果を記載する。
（Ａ）表示制御装置は、機能を示す機能画像が表示される表示部と、複数の前記機能画像を記憶する記憶部と、複数の前記機能画像が重なるように配列されたホーム画面を前記表示部に表示させる制御部と、前記ホーム画面において最も手前に位置する機能画像を別の機能画像に切り替える操作を受け付けるための操作部と、を備える。
【０１０４】
この構成によれば、重なるように配列された複数の機能画像のうち最も手前に位置する機能画像を表示部に大きく表示できる。したがって、所望の機能画像を選択しやすい。
（Ｂ）上記表示制御装置において、前記機能に関するエラーがある場合、前記ホーム画面において、エラーがある前記機能と対応する機能画像は、エラーがない場合とは異なる形式で表示されてもよい。
【０１０５】
この構成によれば、エラーがある機能と対応する機能画像にユーザーを注目させることができる。すなわち、ユーザーにエラーを報知できる。
（Ｃ）上記表示制御装置において、前記制御部は、前記機能に関するエラーが発生した場合に、前記ホーム画面において、エラーがある前記機能と対応する機能画像が最も手前に位置するように前記表示部に表示させてもよい。
【０１０６】
この構成によれば、エラーがある機能と対応する機能画像にユーザーを一層注目させることができる。
（Ｄ）表示制御方法は、複数の機能をそれぞれ示す複数の機能画像が重なるように配列されたホーム画面を表示部に表示することと、前記ホーム画面において最も手前に位置する機能画像を切り替える操作を受け付けた場合に、前記ホーム画面において最も手前に位置していた機能画像とは別の機能画像を最も手前に位置させることと、を含む。
【０１０７】
この方法によれば、上記表示制御装置と同様の効果を得られる。
【符号の説明】
【０１０８】
１１…複合機（表示制御装置）、１２…筐体、１３…カバー、１４…読取部、１５…印刷部、１６…排出口、１７…表示部、１８…操作部、１９…操作パネル、２１…制御部、２２…記憶部、２３…接続部、２４…通信部、３０…機能画像、３１…第１機能画像、３２…第２機能画像、３３…第３機能画像、３４…第４機能画像、３５…第５機能画像、３９…ホーム画面、４０…コピー様式画像、４１…第１コピー様式画像、４２…第２コピー様式画像、４３…第３コピー様式画像、４４…第４コピー様式画像、４５…第５コピー様式画像、４９…コピー様式画面、５１…第１設定画像、５２…第２設定画像、５３…第３設定画像、５４…コピー実行中画像、５６…第１確認画像、５７…写真選択画面、５８…第２確認画像、５９…部数設定画像、６０…写真印刷様式画像、６１…第１写真印刷様式画像、６２…第２写真印刷様式画像、６３…第３写真印刷様式画像、６４…第４写真印刷様式画像、６９…写真印刷様式画面、８１…携帯情報端末（表示制御装置）、８２…表示部、８３…操作部、８４…制御部、８５…記憶部、９１…スタートマーク、９２…チェックマーク、９３…エラーマーク、９９…媒体、１８１…ホームボタン、１８２…アンドゥボタン、１８３…上ボタン、１８４…下ボタン、１８５…右ボタン、１８６…左ボタン、１８７…ＯＫボタン、１８８…ストップボタン、１８９…スタートボタン。
【図１】
2020166356.tif 000003
【図２】
2020166356.tif 000004
【図３】
2020166356.tif 000005
【図４】
2020166356.tif 000006
【図５】
2020166356.tif 000007
【図６】
2020166356.tif 000008
【図７】
2020166356.tif 000009
【図８】
2020166356.tif 000010
【図９】
2020166356.tif 000011
【図１０】
2020166356.tif 000012
【図１１】
2020166356.tif 000013
【図１２】
2020166356.tif 000014
【図１３】
2020166356.tif 000015
【図１４】
2020166356.tif 000016
【図１５】
2020166356.tif 000017
【図１６】
2020166356.tif 000018
【図１７】
2020166356.tif 000019
【図１８】
2020166356.tif 000020
【図１９】
2020166356.tif 000021
【図２０】
2020166356.tif 000022
【図２１】
2020166356.tif 000023
【図２２】
2020166356.tif 000024
【図２３】
2020166356.tif 000025
【図２４】
2020166356.tif 000026
【図２５】
2020166356.tif 000027
【図２６】
2020166356.tif 000028
【図２７】
2020166356.tif 000029
【図２８】
2020166356.tif 000030
【図２９】
2020166356.tif 000031
【図３０】
2020166356.tif 000032
【図３１】
2020166356.tif 000033
【図３２】
2020166356.tif 000034
【図３３】
2020166356.tif 000035